【手続補正書】
【提出日】平成16年7月29日(2004.7.29)
【手続補正１】
【補正対象書類名】明細書
【補正対象項目名】全文
【補正方法】変更
【補正の内容】
【書類名】        明細書
【発明の名称】    パチンコ機
【特許請求の範囲】
【請求項１】  パチンコ機の動作状態を制御する制御手段を備えたパチンコ機において、
前記制御手段は、複数の回路部から構成され、
前記各回路部の全体を制御する制御回路部と、
発光ダイオードを点灯駆動する発光ダイオード駆動回路部及び／又は装飾ランプを点灯駆動するランプ駆動回路部と、を備え、
前記発光ダイオード駆動回路部及び／又は前記ランプ駆動回路部は前記制御回路部と分離されて所定位置に設けられることを特徴とするパチンコ機。
【請求項２】  前記パチンコ機の背面に取り付けられるとともに、取り付け方向が開放された略箱体形状を有するセンターカバーと、
前記センターカバーの背面部内側面に取り付けられるとともに、前記回路部が内部に収納された保護ケースと、を有することを特徴とする請求項１に記載のパチンコ機。
【請求項３】  前記パチンコ機の背面に取り付けられるとともに、取り付け方向が開放された略箱体形状を有するセンターカバーと、
前記センターカバーの背面部内側面に取り付けられるとともに、前記回路部をセンターカバーの背面部に対向して固定する保護カバーと、を有することを特徴とする請求項１に記載のパチンコ機。
【請求項４】  前記回路部は、前記保護ケース又は保護カバーを介して見えることを特徴とする請求項２又は請求項３に記載のパチンコ機。
【発明の詳細な説明】
【０００１】
【発明の属する技術分野】
本発明は、パチンコ機の動作状態を制御する制御手段を備えたパチンコ機に関し、特に、この制御手段を構成する複数の回路部から少なくとも発光ダイオードを点灯駆動する発行ダイオード駆動回路部を分離して、パチンコ機の所定位置に配設することにより、制御手段の更なる高度化、複雑化を図ることが可能となると共に、発光ダイオード駆動回路部等の保守・点検や補修を容易に行うことが可能なパチンコ機に関するものである。
【０００２】
【従来の技術】
従来より、パチンコ球が始動入賞口に入賞すると、遊技領域のほぼ中央に設けられたＣＲＴ（Cathode Ray Tube）やＬＣＤ（Liquid Crystal Display）等を用いた種々の図柄表示装置に表示されている変動図柄が変動を開始し、一定時間経過した後に表示された図柄が一定確率で揃うと、大当りとして大入賞口が所定回数続けて開くとともに図柄表示装置に大当り映像が表示されるパチンコ機（第一種パチンコ機）が種々知られている。
【０００３】
このようなパチンコ機においては、複数種類の機種が存在して、制御基板も機種に応じて複数種類用意する必要があり、各々の機種に応じた制御基板を使用する必要があるため、製造コストアップになるという問題があり、このような問題を解決するために、パチンコ機の動作状態を制御する種々の制御手段が提案されている。
例えば、特開昭６２−１８３７７９号公報に記載された遊技機では、遊技機内から発生する信号を受けて、遊技機に設けられた電気部品を制御する制御手段を含む遊技機であって、前記制御手段は、複数に分割され、それらの少なくとも１つを複数種類の遊技機で共通的に使用できる共通部分とした構成になっている。  これにより、遊技機に設けられた電気部品を制御する制御手段が複数に分割され、それらの少なくとも一つが複数種類の遊技機で共通的に使用できる共通部分であるために、その共通部分に関しては複数種類の遊技機に共通に使用することが可能となる。
【０００４】
【発明が解決しようとする課題】
近年、パチンコゲームの表示手段を構成する液晶表示器等の高精細度化、大型化等に伴い、リーチアクションや大当り等の表示画像内容等が高度化、複雑化して、これらの表示制御等の制御回路規模が大型化、高密度化している。
しかしながら、上述した特開昭６２−１８３７７９号公報に記載された遊技機においては、制御手段（以下、「主基板」という。）は複数に分割されているが、それらが結合されて一つの主基板を形成しているため、表示制御等の高度化、複雑化に対応して、これらの制御の制御回路規模を大型化して、主基板を更に大型化するには、ほぼ限界の大きさに達してきているという問題がある。また、発光ダイオード（ＬＥＤ）駆動回路部の各ＬＥＤ駆動用抵抗が、高密度化による主基板の発熱により抵抗の温度が上昇してＬＥＤの動作が不安定になるという問題がある。さらに、主基板上に形成される制御回路部等の保守・点検が複雑化し、回路点検等の作業性が低下するという問題がある
【０００５】
そこで、本発明は、上述した問題点を解決するためになされたものであり、ＬＥＤ駆動回路部等を主基板から分離し、このＬＥＤ駆動回路部等をパチンコ機の裏側に配設することにより、主基板上の表示制御等の制御回路規模の更なる大型化を図ることが可能となると共に、各ＬＥＤが安定して動作することが可能なパチンコ機を提供することを目的とする。また、ＬＥＤ駆動回路部を主基板から分離して別個独立に設けることにより、主基板及びＬＥＤ駆動回路等の保守・点検や補修を容易に行うことが可能なパチンコ機を提供することを目的とする。
【０００６】
【課題を解決するための手段】
前記目的を達成するため請求項１に係るパチンコ機は、パチンコ機の動作状態を制御する制御手段を備えたパチンコ機において、前記制御手段は、複数の回路部から構成され、前記各回路部の全体を制御する制御回路部と、発光ダイオードを点灯駆動する発光ダイオード駆動回路部及び／又は装飾ランプを点灯駆動するランプ駆動回路部と、を備え、前記発光ダイオード駆動回路部及び／又は前記ランプ駆動回路部は前記制御回路部と分離されて所定位置に設けられることを特徴とする。
【０００７】
このような特徴を有する請求項１に係るパチンコ機においては、パチンコ機の動作状態を制御する制御手段は、全体を制御する制御回路部と、発光ダイオードを点灯駆動する発光ダイオード駆動回路部及び／又は装飾ランプを点灯駆動するランプ駆動回路部と、を備え、前記発光ダイオード駆動回路部及び／又は前記ランプ駆動回路部は前記制御回路部と分離されて所定位置に設けられる。
これにより、制御手段が少なくとも２つの分離されて配置される基板から構成されるため、制御回路部等の各回路部品の配置スペースを確保して回路規模の大型化を図ることが可能となり、表示制御等の更なる高度化、複雑化に対応することが可能となる。また、複数の回路部から前記発光ダイオード駆動回路部及び／又は前記ランプ駆動回路部が分離されて配設されるため、各基板の保守・点検や補修を容易に行うことが可能となり、回路点検等の作業性の向上を図ることが可能となる。
【０００８】
また、制御回路部等が設けられる回路基板から発光ダイオード駆動回路部を別に分離して設けることにより、各発光ダイオード駆動用抵抗の温度上昇を防止することが可能となり、各ＬＥＤが安定して動作することが可能となる。
【０００９】
さらに、発光ダイオード駆動回路部を分離して配設することにより、各基板の保守・点検や補修を容易に行うことが可能となり、回路点検等の作業性の向上を図ることが可能となる。
【００１０】
また、請求項２に係るパチンコ機は、請求項１に記載のパチンコ機において、前記パチンコ機の背面に取り付けられるとともに、取り付け方向が開放された略箱体形状を有するセンターカバーと、前記センターカバーの背面部内側面に取り付けられるとともに、前記回路部が内部に収納された保護ケースと、を有することを特徴とする。
【００１１】
このような特徴を有する請求項２に係るパチンコ機は、請求項１に記載したパチンコ機において、前記回路部は、保護ケース内に収納されているため、落下したパチンコ球等が回路基板に直接当たるのを防止することが可能になると共に、搬送作業や取り付け作業等の作業性向上を図ることが可能となる。また、該保護ケースをアルミ板や導電性プラスチック等により形成すると、該回路部を電気的にシールドすることが可能となり、耐ノイズ性が向上し、誤動作の防止を図ることが可能となる。
【００１２】
また、請求項３に係るパチンコ機は、請求項１に記載のパチンコ機において、前記パチンコ機の背面に取り付けられるとともに、取り付け方向が開放された略箱体形状を有するセンターカバーと、前記センターカバーの背面部内側面に取り付けられるとともに、前記回路部をセンターカバーの背面部に対向して固定する保護カバーと、を有することを特徴とする。
【００１３】
このような特徴を有する請求項３に係るパチンコ機は、請求項１に記載したパチンコ機において、前記回路部は、保護カバーで覆われているため、落下したパチンコ球等が回路基板に直接当たるのを防止することが可能となる。
【００１４】
更に、請求項４に係るパチンコ機は、請求項２又は請求項３に記載のパチンコ機において、前記回路部は、前記保護ケース又は保護カバーを介して見えることを特徴とする。
【００１５】
このような特徴を有する請求項４に係るパチンコ機は、請求項２又は請求項３に記載したパチンコ機において、前記回路部は、前記保護ケース又は保護カバーを介して見えるため、この回路部の点検等を容易に行うことが可能となる。
【００１６】
【発明の実施の形態】
以下、本発明に係るパチンコ機について具体化した第１及び第２実施の形態を図面を参照して詳細に説明する。先ず、第１実施形態に係るパチンコ機の全体構成について図１及び図２に基づいて説明する。図１は第１実施形態に係るパチンコ機の全体を示した正面図である。図２は第１実施形態に係るパチンコ機の全体を示した背面図である。但し、図１では、遊技盤上のキャラクタ図柄等は省略している。
図１において、パチンコ機１は、いわゆる第一種パチンコ機である。パチンコ機１は、後述する入賞口１８、特別図柄表示装置、電動役物及び、ゲート等の各種構造物が遊技盤２上に配設されている。その遊技盤２の下には、不図示の樋を介して排出される賞球を受ける上部受け皿３がスピーカ３ａを内蔵してプレート４に配設されている。そして、その上部受け皿３の下には、下部受け皿５が配設される。また、上部受け皿３に連通する不図示の球送り機構を介して上部受け皿３のパチンコ球がハンドル６に連結された不図示の発射装置へ送られるよう構成されている。また、遊技盤２の裏面には特別図柄表示装置等を制御する主基板３６（図２参照）が設けられている。また、遊技盤２の両肩部には、賞球及び球切れ表示ランプ１０、１０が設けられている。
【００１７】
一方、遊技盤２の前側は、鋼板やステンレス等の金属製のガラス扉９により被覆されており、該ガラス扉９は、外枠２２（図２参照）の前側にヒンジ部材等を介して開閉自在に取り付けられている前面枠に開閉自在に取り付けられている。また、ガラス扉９には開口部を有する鋼板やステンレス等の金属製のガラス保持枠がスポット溶接等により固着されており、該ガラス保持枠に装着された２枚のガラスを通して遊技領域を見ることができる。また、ガラス扉９の上部には、遊技中のエラーを表示するエラー表示ランプ７やガラス扉９の上部及び右側には、「当り」を表示する当り表示ランプ８、８が取り付けられている。
【００１８】
また、パチンコ機１における遊技盤２上の遊技領域の構成について説明する。この遊技領域は、所定厚さの板材をなした遊技盤２上に入賞口１８等の各構造物が所定の位置に取り付けられ、それを囲むように環状のレール１１が取り付けられて構成されている。このレール１１は、発射されたパチンコ球を遊技領域内に案内する重複して形成した案内路１５を構成し、右肩部にはレール１１に沿って打ち込まれるパチンコ球の進行を制限するための段差部１６を有する。そして、その段差部１６には軸支された返しゴム（図示されていない）が配設されている。
また、遊技領域のほぼ中央には、特別図柄表示装置である液晶表示器１２が取り付けられている。この液晶表示器１２は、左、中、右に３つの変動図柄を表示する液晶パネルであって、遊技盤２の裏面側から取り付けられている。
【００１９】
液晶表示器１２の上方の中心線上に入賞口１８が設けられている。入賞口１８の上には、イメージキャラクタである加藤茶のキャラクタ図柄が描かれている。この入賞口１８に入賞すると、所定の個数の賞球が上部受け皿３に排出される。そして、液晶表示器１２の下方の中心線上に第１種始動口１９が設けられている。この第１種始動口１９に入賞すると液晶表示器１２に表示されている変動図柄群が変動する。
また、変動図柄が変動中に第１種始動口１９に入賞した場合には、入賞個数が４個までＲＡＭ７３（図４参照）の保留カウンタに記憶されて変動確定回数として保留される。そして、液晶表示器１２の下端部には、この保留カウンタに記憶されているカウント値が表示される４個の保留ＬＥＤ１３Ａが設けられている。  また、液晶表示器１２の下方には、下方入賞口である大入賞口１７が設けられている。大入賞口１７は、液晶表示器１２において変動図柄が揃って大当りが発生したとき等にソレノイド６１（図４参照）により開閉する扉構造を有している。
さらに、入賞口１８の左右には、各１個ずつ入賞口ＬＥＤ１３Ｂが配置され、液晶表示器１２の左右には、各々４個ずつ図柄表示装置ＬＥＤ１３Ｃが配置され、また、大入賞口１７の左右下方位置には、各々４個ずつ大入賞口ＬＥＤ１３Ｄが配置されている。これらの各ＬＥＤ１３Ｂ、１３Ｃ、１３Ｄは、後述のようにＬＥＤ駆動回路部４２（図４参照）により変動図柄の変動や大入賞口１７の開放動作等に連動して点灯制御される。
【００２０】
また、図２に示すように、パチンコ機１は、木製の外枠２２に対して木製の内枠２３がヒンジ部材等を介して開閉自在に取り付けられている。また、この内枠２３のほぼ中央部には遊技盤２が着脱可能なように鉄板等の金属製の機構盤２４が取り付けられている。そして、この機構盤２４の片側には合成樹脂製の機構セット盤２５が開閉自在に蝶番により取り付けられている。外枠２２及び内枠２３は、現在では樹脂製のものが主流となっているが、第１実施形態では木製のものとしている。
パチンコ機１の裏側上部には、上方に開口した賞球タンク２６が機構セット盤２５に固定されている。賞球タンク２６の直上には補給装置２７が配設され、吐出部２７Ａが垂直に降りている。賞球タンク２６は、傾斜した底面に連通孔（不図示）が形成され、その連通孔の下方にはパチンコ球を２列に整列流出し得る傾斜したタンクレール２８が取付けられている。
【００２１】
また、賞球ケース３２へパチンコ球を案内する賞球案内部２９内には、タンクレール２８の下流側のパチンコ球を案内する２列の賞球通路３０が形成されている。
また、賞球ケース３２には、各賞球通路３０を通過するパチンコ球の数を確認する確認スイッチ、パチンコ球の送り出しを調節する払い出しソレノイド等（いずれも不図示）が内装されている。そして、これら賞球タンク２６、タンクレール２８、賞球案内部２９、賞球ケース３２、確認スイッチ、及び払い出しソレノイド等により賞球払出システムが構成されている。
そして、賞球ケース３２の下流側には排出部が形成され、排出路３３及び下部受け皿満タンスイッチが内装された排出路３４が下端部下方に開口して形成されている。また、この開口部の下方には、上皿から溢れた賞球を受けて下皿に案内する下皿受け部を構成する下部受皿ボックス３５がボルトにより内枠２３の裏側に取り付けられている。
【００２２】
また、機構セット盤２５上には、基板ボックス３６Ａ内に配置される主基板３６が、遊技盤裏面を覆う透明なＡＢＳ等の樹脂製のセンターカバー３７に装着された状態で固定されている。この主基板３６には、後述のようにパチンコ機１の遊技動作などを制御する制御回路が構成されている（図４参照）。
【００２３】
また、主基板３６の下側には、コントロール基板が装着されたコントロールボックス３８が取り付けられている。このコントロール基板は、賞球払出等の制御を行うための制御回路を構成している。
【００２４】
また、センターカバー３７の内側には、後述の様にＬＥＤ駆動制御基板４１が取り付けられている（図３参照）。このＬＥＤ駆動制御基板４１には、主基板３６からの制御信号に従って各保留ＬＥＤ１３Ａ、入賞口ＬＥＤ１３Ｂ、図柄表示装置ＬＥＤ１３Ｃ、大入賞口ＬＥＤ１３Ｄの点灯駆動を所定の手順で実行することができるＣＰＵ、その動作プログラムデータを格納するＲＯＭ、データの書き込み及び読み出しを行うＲＡＭ、又は入出力回路やクロック発生器などを含むマイクロコンピュータや、各ＬＥＤ１３Ａ、１３Ｂ、１３Ｃ、１３Ｄに所定電流を流すための抵抗、トランジスター等の各種電気回路部品から構成されるＬＥＤ駆動回路部４２（図４参照）が構成されている。
【００２５】
さらに、機構セット盤２５の上方角部（図２中、右上角部）には、中継基板４０が設けられている。この中継基板４０は、パチンコ機１とホールコンピュータをつなぐ基板である。
【００２６】
次に、ＬＥＤ駆動制御基板４１のセンターカバー３７内への取り付けについて図３に基づいて説明する。図３は第１実施形態に係るパチンコ機のＬＥＤ駆動制御基板４１のセンターカバー３７内への取り付け状態を示す要部の側断面図である。
図３に示すように、センターカバー３７は、前面部（図３中、左側面部）が開放された略箱状体で、その背面部のほぼ中央部の液晶表示器１２に対向する部分が裏側方向に膨出している。そして、この膨出している部分の上下端縁部には各々２箇所ずつネジ孔が形成された所定高さの保護カバー取付ポスト３７Ａが垂設されている（図３中では２箇所が示されている。）。
【００２７】
また、ポリカーボネート樹脂等の合成樹脂により形成された透明な保護カバー４５は、後面部（図３中、右側面部）が開放された略箱状体で、その前面部（図３中、左側面部）の上端縁部及び下端縁部は、所定長さ外側に突き出して各フランジ部４８、４８が形成されている。また、この各フランジ部４８、４８の、各保護カバー取付ポスト３７Ａに対向する位置には各々ビス孔が形成されている。また、保護カバー４５の前面部の内側面（図３中、右側面）には、その４箇所にネジ孔が形成される各基板取付ポスト４６（図３中では２箇所が示されている。）が垂設されている。また、この保護カバー４５の側壁部４９は、該保護カバー４５の各フランジ部４８、４８がビス５０で各保護カバー取付ポスト３７Ａにネジ止めされた場合には、この側壁部４９の開放側端面がセンターカバー３７の背面部の内側面に沿って当接するように形成されている。
【００２８】
そして、ＬＥＤ駆動制御基板４１のセンターカバー３７への取り付けは、先ず、このＬＥＤ駆動制御基板４１をビス５１により保護カバー４５の各基板取付ポスト４６にネジ止めする。続いて、この保護カバー４５をビス５０によりセンターカバー３７の各保護カバー取付ポスト３７Ａにネジ止めして固定する。これにより、ＬＥＤ駆動制御基板４１は、センターカバー３７の背面部の内側に固定される。
【００２９】
次に、上記構成のパチンコ機１の液晶表示器１２等を制御する主基板３６の回路構成について図４に基づいて説明する。図４は第１実施形態に係るパチンコ機１の遊技動作等を制御する主基板３６等の回路構成の一例を示すブロック図である。
図４に示すように、主基板３６には、遊技動作を制御する制御回路部５５、所定のクロック信号を出力するクロック回路５６、入力ポート５７及び出力ポート５８が設けられ、この制御回路部５５、入力ポート５７及び出力ポート５８は、バス線５４により相互に接続されている。
【００３０】
また、液晶表示器１２の背面部に設けられ、この液晶表示器１２へ図柄表示駆動を行う液晶表示器駆動回路５９に表示制御信号等を送出する液晶表示器通信回路６０が主基板３６上に設けられ、出力ポート５８に接続されている。また、大入賞口１７の開閉用のソレノイド６１を駆動するソレノイド駆動回路部６２が主基板３６上に設けられ、出力ポート５８に接続されている。また、エラー表示ランプ７、当り表示ランプ８及び賞球切れ表示ランプ１０等を駆動するランプ駆動回路部６３が主基板３６上に設けられ、出力ポート５８に接続されている。更に、ＬＥＤ駆動制御基板４１に構成されるＬＥＤ駆動回路部４２に各保留ＬＥＤ１３Ａ、入賞口ＬＥＤ１３Ｂ、図柄表示装置ＬＥＤ１３Ｃ、大入賞口ＬＥＤ１３Ｄの点灯駆動制御信号等を送出するＬＥＤ通信回路６４が主基板３６上に設けられ、出力ポート５８に接続されている。
【００３１】
また、制御回路部５５には、制御回路部５５の全体を制御するＣＰＵ７１と、各種制御処理用のプログラムや制御処理に必要なデータ等を格納しておくＲＯＭ７２と、各種制御処理データ等を格納しておくＲＡＭ７３が設けられ、このＣＰＵ７１、ＲＯＭ７２及びＲＡＭ７３はバス線５４に接続されている。また、ＣＰＵ７１には、クロック回路５６が接続されている。
【００３２】
更に、入力ポート５７には、第１種始動口１９に設けられて入賞球を検出する第１種始動口スイッチ７５、大入賞口１７の内部に設けられて大入賞口１７への入賞球のカウントを行うカウントスイッチ７６、及び大入賞口１７の内部に設けられて大入賞口１７の開放を継続するためのＶゾーンへの入賞球の検出を行う特別領域通過スイッチ７７等が接続されている。
【００３３】
ここで、ＬＥＤ駆動回路部４２が発光ダイオード駆動回路部を構成する。
【００３４】
以上詳細に説明した通り第１実施形態に係るパチンコ機１では、保留ＬＥＤ１３Ａ、入賞口ＬＥＤ１３Ｂ、図柄表示装置ＬＥＤ１３Ｃ、及び大入賞口ＬＥＤ１３Ｄを駆動制御するＬＥＤ駆動回路部４２が、主基板３６から分離されてセンターカバー３７の背面部の内側面に取り付けられるＬＥＤ駆動制御基板４１上に設けられる。そして、基板ボックス３６Ａに収納される主基板３６からＬＥＤ通信回路６４を介してＬＥＤ駆動回路部４２に各ＬＥＤ１３Ａ、１３Ｂ、１３Ｃ、１３Ｄの点灯駆動制御信号が送出される。
【００３５】
これにより、保留ＬＥＤ１３Ａ、入賞口ＬＥＤ１３Ｂ、図柄表示装置ＬＥＤ１３Ｃ、及び大入賞口ＬＥＤ１３Ｄを駆動制御するＬＥＤ駆動回路部４２が主基板３６と分離、配置されるＬＥＤ駆動制御基板４１上に設けられるため、主基板３６上における表示制御等に係る回路部品の配置スペースを確保して回路規模の更なる大型化を図ることが可能となり、遊技制御等の更なる高度化、複雑化に対応することが可能となる。また、保留ＬＥＤ１３Ａ、入賞口ＬＥＤ１３Ｂ、図柄表示装置ＬＥＤ１３Ｃ、及び大入賞口ＬＥＤ１３Ｄを駆動制御するＬＥＤ駆動回路部４２を別に分離して設けることにより、各ＬＥＤ１３Ａ、１３Ｂ、１３Ｃ、１３Ｄの駆動用抵抗の温度上昇を防止することが可能となり、各ＬＥＤ１３Ａ、１３Ｂ、１３Ｃ、１３Ｄが安定して動作することが可能となる。さらに、ＬＥＤ駆動回路部４２が分離されて配設されるため、各基板３６、４１の保守・点検や補修を容易に行うことが可能となり、回路点検等の作業性の向上を図ることが可能となる。
また、ＬＥＤ駆動制御基板４１は、保護カバー４５で覆われているため、落下したパチンコ球等がＬＥＤ駆動制御基板４１に直接当たるのを防止することが可能となる。また、ＬＥＤ駆動制御基板４１は、センターカバー３７及び保護カバー４５を介して見えるため、ＬＥＤ駆動回路部４２の点検等を容易に行うことが可能となる。
【００３６】
次に、第２実施形態に係るパチンコ機について図５乃至図７に基づいて説明する。先ず、第２実施形態に係るパチンコ機の概略構成について図５に基づいて説明する。図５は第２実施形態に係るパチンコ機の全体を示した背面図である。
図５に示すように、第２実施形態に係るパチンコ機８０の構成は、第１実施形態に係るパチンコ機１とほぼ同じ構成である。但し、第１実施形態に係る主基板３６が、後述の主基板８１（図７参照）から構成されている。また、第１実施形態に係るセンターカバー３７及び保護カバー４５が、透明なＡＢＳ等の樹脂製のセンターカバー８２、及びポリカーボネート樹脂等の合成樹脂により形成された透明な保護ケース８３から構成されている。さらに、第１実施形態に係るＬＥＤ駆動制御基板４１が、センターカバー８２の背面部の内側に取り付けられる後述の駆動回路基板８４（図７参照）から構成されている。
【００３７】
次に、駆動回路基板８４のセンターカバー８２内への取り付け状態について図６に基づいて説明する。図６は第２実施形態に係るパチンコ機８０の駆動回路基板８４のセンターカバー８２内への取り付け状態を示す要部の側断面図である。  図６に示すように、センターカバー８２は、第１実施形態に係るセンターカバー３７とほぼ同じ構成であるが、その背面部の内側面には、その４箇所にネジ孔が形成されたケース取付ポスト８５が垂設されている（図６中では２箇所が示されている。）。
【００３８】
また、保護ケース８３は、カバー８６とケース本体８７とから構成されている。このケース本体８７は、前面部（図６中、左側面部）が開放された略箱状体で、その後面部（図６中、右側面部）の上端縁部及び下端縁部は、所定長さ外側に突き出して各フランジ部８８、８８が形成されている。そして、この各フランジ部８８、８８の、各ケース取付ポスト８５に対向する位置には各々ビス孔が形成されている。
また、ケース本体８７の上側の側面には、２箇所に各々係止孔８９が設けられている（図６中では１箇所が示されている。）。この各係止孔８９には、後述するようにカバー８６の上側端縁部に設けられる各係止突起９１が弾性的に係合されるものである。
更に、ケース本体８７の後面部の内側の下方には、２箇所に各々ネジ孔が形成されたカバー取付ポスト９２がケース本体８７の前端縁部の高さまで立設されている（図６中では１箇所が示されている。）。
【００３９】
一方、このカバー８６は、後面部（図６中、右側面部）が開放された略箱状体で、前面部の内側面（図６中、右側面）には、その４箇所にネジ孔が形成される各基板取付ポスト９３（図６中では２箇所が示されている。）が垂設されている。
また、カバー８６の上側側面の内側端縁部には、ケース本体８７の各係止孔８９に対向する位置に所定長さの各係止片９０が設けられ、この各係止片９０の端縁部には各係止突起９１が形成されている。
更に、カバー８６の前面部の下方の各カバー取付ポスト９２に対向する位置には、カバー８６の後端縁部の高さまで突出して、カバー８６の前面側からビスが挿入される凹部９４が設けられている（図６中では１箇所が示されている。）。また、この凹部９４の底面には、ビスが嵌挿される貫通孔が形成されている。
【００４０】
そして、駆動回路基板８４の保護ケース８３内への取り付けは、先ず、この駆動回路基板８４を各ビス９５によりカバー８６の各基板取付ポスト９３にネジ止めする。続いて、カバー８６の上側側面の端縁部をケース本体８７の上側側面の前端縁部に当接させつつ、カバー８６の各係止片９０の係止突起９１をケース本体８７の各係止孔８９に係合させる。そして、カバー８６の各凹部９４をカバー本体８７の各カバー取付ポスト９２に対向させて、各ビス９６によりネジ止めする。これにより、駆動回路基板８４は保護ケース８３内に固定される。
次に、ケース本体８７の各フランジ部８８に形成されるビス孔をセンターカバー８２の各ケース取付ポスト８５に当接し、各ビス９７によりネジ止めする。これにより、駆動回路基板８４が収納された保護ケース８３が、センターカバー８２の背面部の内側に固定される。
【００４１】
次に、上記構成のパチンコ機８０の液晶表示器１２等を制御する主基板８１の回路構成について図７に基づいて説明する。図７は第２実施形態に係るパチンコ機８０の遊技動作等を制御する主基板８１等の回路構成の一例を示すブロック図である。
図７に示すように、主基板８１には、遊技動作を制御する制御回路部５５、所定のクロック信号を出力するクロック回路５６、入力ポート５７及び出力ポート５８が設けられ、この制御回路部５５、入力ポート５７及び出力ポート５８は、バス線５４により相互に接続されている。
【００４２】
また、センターカバー８２内に設けられる駆動回路基板８４には、大入賞口１７の開閉用のソレノイド６１を駆動するソレノイド駆動回路部６２と、エラー表示ランプ７、当り表示ランプ８及び賞球切れ表示ランプ１０等を駆動するランプ駆動回路部６３と、各保留ＬＥＤ１３Ａ、入賞口ＬＥＤ１３Ｂ、図柄表示装置ＬＥＤ１３Ｃ、大入賞口ＬＥＤ１３Ｄの点灯駆動制御を行うＬＥＤ駆動回路部４２とが設けられている。このソレノイド駆動回路部６２及びランプ駆動回路部６３はハードロッジク回路から構成され、ＬＥＤ駆動回路部４２は、主基板８１からの制御信号に従って各保留ＬＥＤ１３Ａ、入賞口ＬＥＤ１３Ｂ、図柄表示装置ＬＥＤ１３Ｃ、大入賞口ＬＥＤ１３Ｄの点灯駆動を所定の手順で実行することができるＣＰＵ、その動作プログラムデータを格納するＲＯＭ、データの書き込み及び読み出しを行うＲＡＭ、又は入出力回路やクロック発生器などを含むマイクロコンピュータ等から構成されている。また、ＬＥＤ駆動回路部４２には、各ＬＥＤ１３Ａ、１３Ｂ、１３Ｃ、１３Ｄに所定電流を流すための抵抗、トランジスター等の各種電気回路部品が設けられている。
【００４３】
また、液晶表示器１２の背面部に設けられ、この液晶表示器１２へ図柄表示駆動を行う液晶表示器駆動回路部５９に表示制御信号等を送出する液晶表示器通信回路６０が、主基板８１上に設けられて出力ポート５８に接続されている。また、ソレノイド駆動回路部６２に駆動制御信号を送出するソレノイド通信回路１０１が、主基板８１上に設けられて出力ポート５８に接続されている。また、ランプ駆動回路部６３に各ランプ７、８、１０の点灯駆動制御信号を送出するランプ通信回路１０２が、主基板８１上に設けられて出力ポート５８に接続されている。さらに、ＬＥＤ駆動回路部４２に各ＬＥＤ１３Ａ、１３Ｂ、１３Ｃ、１３Ｄの点灯駆動制御信号等を送出するＬＥＤ通信回路６４が、主基板８１上に設けられて出力ポート５８に接続されている。
【００４４】
また、制御回路部５５には、制御回路部５５の全体を制御するＣＰＵ７１と、各種制御処理用のプログラムや制御処理に必要なデータ等を格納しておくＲＯＭ７２と、各種制御処理データ等を格納しておくＲＡＭ７３が設けられ、このＣＰＵ７１、ＲＯＭ７２及びＲＡＭ７３はバス線５４に接続されている。また、ＣＰＵ７１には、クロック回路５６が接続されている。
【００４５】
更に、入力ポート５７には、第１種始動口１９に設けられて入賞球を検出する第１種始動口スイッチ７５、大入賞口１７の内部に設けられて大入賞口１７への入賞球のカウントを行うカウントスイッチ７６、及び大入賞口１７の内部に設けられて大入賞口１７の開放を継続するためのＶゾーンへの入賞球の検出を行う特別領域通過スイッチ７７等が接続されている。
【００４６】
以上詳細に説明した通り第２実施形態に係るパチンコ機８０では、ソレノイド駆動回路部６２、ランプ駆動回路部６３及びＬＥＤ駆動回路部４２が設けられる駆動回路基板８４が、保護ケース８３内に収納されてセンターカバー８２の内側に取り付けられる。そして、基板ボックス３６Ａに収納される主基板８１から各通信回路１０１、１０２、６４を介して各回路部６２、６３、４２に駆動制御信号が送出される。
【００４７】
これにより、ソレノイド駆動回路部６２、ランプ駆動回路部６３及びＬＥＤ駆動回路部４２が、主基板８１と分離、配置される駆動回路基板８４上に設けられるため、主基板８１上における表示制御等に係る回路部品の配置スペースを確保して回路規模の更なる大型化を図ることが可能となり、表示制御等の更なる高度化、複雑化に対応することが可能となる。また、ＬＥＤ駆動回路部４２を別に分離して設けることにより、各ＬＥＤ１３Ａ、１３Ｂ、１３Ｃ、１３Ｄの駆動用抵抗の温度上昇を防止することが可能となり、各ＬＥＤ１３Ａ、１３Ｂ、１３Ｃ、１３Ｄが安定して動作することが可能となる。さらに、ソレノイド駆動回路部６２、ランプ駆動回路部６３及びＬＥＤ駆動回路部４２が分離されて駆動回路基板８４に配設されるため、各基板８１、８４の保守・点検や補修を容易に行うことが可能となり、回路点検等の作業性の向上を図ることが可能となる。
また、駆動回路基板８４は、保護ケース８３で覆われているため、落下したパチンコ球等が駆動回路基板８４に直接当たるのを防止することが可能となる。また、駆動回路基板８４は、センターカバー８２及び保護ケース８３を介して見えるため、ソレノイド駆動回路部６２、ランプ駆動回路部６３及びＬＥＤ駆動回路部４２の点検等を容易に行うことが可能となる。
【００４８】
尚、本発明は上記第１及び第２実施形態に限定されることはなく、本発明の要旨を逸脱しない範囲内で種々の改良、変形が可能であることは勿論であり、以下のようにしてもよい。
（ａ）前記第２実施形態では、保護ケース８３をセンターカバー８２の背面部の内側面に配置したが、基板ボックス３６Ａの背面、センターカバー８２の下側、若しくは、センターカバー８２の右側で賞球ケース３２の背面に配置して、このセンターカバー８２にネジ止めして設けるようにしてもよい。但し、保護ケース８３の後端部は、センターカバー８２の最後端部よりも前側に位置している。  （ｂ）前記第２実施形態では、保護ケース８３をセンターカバー８２の背面部の内側面に配置したが、センターカバー８２内の任意の場所や、センターカバー８２に覆われている機構セット盤２５に配設されて入賞球を排出口に案内する入賞球集合部材の背面に配置してもよい。
（ｃ）前記第２実施形態では、保護ケース８３は、ポリカーボネート樹脂等の透明な合成樹脂により形成されているが、アルミ板や導電性プラスチック等により形成してもよい。これにより、駆動回路基板８４を電気的にシールドすることが可能となり、耐ノイズ性が向上し、誤動作の防止を図ることが可能となる。
（ｄ）前記第１実施形態では、センターカバー３７、保護カバー４５は透明な樹脂により形成しているが、この各センターカバー３７、保護カバー４５を導電性プラスチック等により形成してもよい。これにより、ＬＥＤ駆動制御基板４１を電気的にシールドすることが可能となり、耐ノイズ性が向上し、誤動作の防止を図ることが可能となる。
【００４９】
【発明の効果】
以上詳細に説明した通り請求項１に係るパチンコ機では、パチンコ機の動作状態を制御する制御手段は、全体を制御する制御回路部と、発光ダイオードを点灯駆動する発光ダイオード駆動回路部及び／又は装飾ランプを点灯駆動するランプ駆動回路部と、を備え、前記発光ダイオード駆動回路部及び／又は前記ランプ駆動回路部は前記制御回路部と分離されて所定位置に設けられている。
これにより、制御手段が少なくとも２つの分離されて配置される基板から構成されるため、制御回路部等の各回路部品の配置スペースを確保して回路規模の大型化を図ることが可能となり、表示制御等の更なる高度化、複雑化に対応することが可能なパチンコ機を提供することができる。また、複数の回路部から前記発光ダイオード駆動回路部及び／又は前記ランプ駆動回路部が分離されて配設されるため、各基板の保守・点検や補修を容易に行うことが可能となり、回路点検等の作業性の向上を図ることが可能なパチンコ機を提供することができる。
【００５０】
また、制御回路部等が設けられる回路基板から発光ダイオード駆動回路部を別に分離して設けることにより、各発光ダイオード駆動用抵抗の温度上昇を防止することが可能となり、各ＬＥＤが安定して動作することが可能なパチンコ機を提供することができる。
さらに、発光ダイオード駆動回路部を分離して配設することにより、各基板の保守・点検や補修を容易に行うことが可能となり、回路点検等の作業性の向上を図ることが可能なパチンコ機を提供することができる。
【００５１】
また、請求項２に係るパチンコ機では、請求項１に記載したパチンコ機において、前記回路部は、保護ケース内に収納されているため、落下したパチンコ球等が回路基板に直接当たるのを防止することが可能になると共に、搬送作業や取り付け作業等の作業性向上を図ることが可能なパチンコ機を提供することができる。また、該保護ケースをアルミ板や導電性プラスチック等により形成すると、該回路部を電気的にシールドすることが可能となり、耐ノイズ性が向上し、誤動作の防止を図ることが可能なパチンコ機を提供することができる。
【００５２】
また、請求項３に係るパチンコ機では、請求項１に記載したパチンコ機において、前記回路部は、保護カバーで覆われているため、落下したパチンコ球等が回路基板に直接当たるのを防止することが可能なパチンコ機を提供することができる。
【００５３】
さらに、請求項４に係るパチンコ機では、請求項２又は請求項３に記載したパチンコ機において、前記回路部は、前記保護ケース又は保護カバーを介して見えるため、この回路部の点検等を容易に行うことが可能なパチンコ機を提供することができる。
【図面の簡単な説明】
【図１】  
第１実施形態に係るパチンコ機の全体を示した正面図である。
【図２】
第１実施形態に係るパチンコ機の全体を示した背面図である。
【図３】
第１実施形態に係るパチンコ機のＬＥＤ駆動制御基板のセンターカバー内への取り付け状態を示す要部の側断面図である。
【図４】
第１実施形態に係るパチンコ機の遊技動作等を制御する主基板等の回路構成の一例を示すブロック図である。
【図５】
第２実施形態に係るパチンコ機の全体を示した背面図である。
【図６】
第２実施形態に係るパチンコ機の駆動回路基板のセンターカバー内への取り付け状態を示す要部の側断面図である。
【図７】
第２実施形態に係るパチンコ機の遊技動作等を制御する主基板等の回路構成の一例を示すブロック図である。
【符号の説明】
１、８０・・・パチンコ機
１３Ａ・・・保留ＬＥＤ
１３Ｂ・・・入賞口ＬＥＤ
１３Ｃ・・・図柄表示装置ＬＥＤ
１３Ｄ・・・大入賞口ＬＥＤ
３６、８１・・・主基板
３６Ａ・・・基板ボックス
３７、８２・・・センターカバー
４１・・・ＬＥＤ駆動制御基板
４２・・・ＬＥＤ駆動回路部
４５・・・保護カバー
６４・・・ＬＥＤ通信回路
７１・・・ＣＰＵ
７２・・・ＲＯＭ
７３・・・ＲＡＭ
８３・・・保護ケース
８４・・・駆動回路基板